(57)【特許請求の範囲】
【請求項１】
内部に貯蔵室が形成されている断熱箱体と、
断熱箱体の前面に形成されている商品取出用開口と、
断熱箱体の前面以外の側面に形成されている出入口と、
前記商品取出用開口を開閉自在に閉塞している透明扉と、
前記出入口を開閉自在に閉塞している断熱扉と、
前記貯蔵室の前部に設けられている陳列棚と、
商品取出用開口の上側における断熱箱体の前壁に取り付けられている霜取りランプとを備え、
商品取出用開口の上側において前記断熱箱体の前壁を構成する断熱発泡樹脂板には、霜取りランプ用リード線挿入孔が貫通して形成され、
この霜取りランプ用リード線挿入孔には、弾性を有するパイプが嵌め込まれ、
前記霜取りランプは、表示部を外側にし、かつ、霜取りランプの一部が前記パイプ内に嵌まり込んだ状態で、リード線が前記パイプに挿入されて貯蔵室内に導かれていることを特徴とするショーケース。
【発明の詳細な説明】
【０００１】
【発明の属する技術分野】
本発明は、店員が出入りする出入口および、商品を取り出す商品取出用開口が形成されているショーケースいわゆるウォークインショーケースに関する。
【０００２】
【従来の技術】
この種の従来のショーケースは、店員が商品を出入口からショーケース内に搬入して貯蔵するとともに、陳列棚に商品を並べている。一方、購買客は、陳列棚の商品を商品取出用開口から取り出している。そして、購買客が商品を取り出して、陳列棚の商品が減少してくると、店員が出入口からショーケース内に入って、貯蔵されている商品を陳列棚に補充している。そこで、ショーケースを温度管理や運転状況の確認を行うための霜取りランプおよび温度表示計は、店員が見やすいように、出入口付近に設置されていた。
【０００３】
【発明が解決しようとする課題】
ところで、商品の鮮度管理が重要となった今日、ショーケースの温度管理や運転状況の確認を十分に行う必要がある。したがって、出入口および商品取出用開口が形成されているショーケースにおいても、店内すなわちショーケースの前面から、温度管理や運転状況の確認を行えることが望まれている。
【０００４】
本発明は、以上のような課題を解決するためのもので、出入口および商品取出用開口が形成されているショーケースにおいて、ショーケースの前面から、温度管理や運転状況の確認を行えることを目的としている。
【０００５】
【課題を解決するための手段】
本発明のショーケースは、内部に貯蔵室（１１）が形成されている断熱箱体（１）と、断熱箱体の前面に形成されている商品取出用開口（６）と、断熱箱体の前面以外の側面に形成されている出入口（７）と、商品取出用開口を開閉自在に閉塞している透明扉（８）と、出入口を開閉自在に閉塞している断熱扉（９）と、貯蔵室の前部に設けられている陳列棚（１３）とを備えており、いわゆるウォークインショーケースである。
【０００６】
この様なウォークインショーケースにおいて、商品取出用開口の上側における断熱箱体の前壁に霜取りランプ（１９）が取り付けられ、かつ、断熱箱体の前壁を構成する断熱発泡樹脂板（２）には、霜取りランプ用リード線挿入孔（３２）が貫通して形成されている。
【０００７】
この霜取りランプ用リード線挿入孔には、弾性を有するパイプ（３４）が嵌め込まれ、霜取りランプは、表示部（１９ａ）を外側にし、かつ、霜取りランプの一部が前記パイプ内に嵌まり込んだ状態で、リード線（２４）が前記パイプに挿入されて貯蔵室内に導かれている。
【０００８】
なお、この明細書記載においては、商品取出用開口が配置されている側を前側としている。
【０００９】
【発明の実施の形態】
次に、本発明におけるショーケースの実施の一形態を図１ないし図５を用いて説明する。図１は本発明にかかるショーケースの平断面図である。図２はショーケースの説明図で、（ａ）が断面図、（ｂ）が側面図である。図３はショーケースの正面図である。図４は図３の IV-IV断面図である。図５は図３の V-V断面図である。
【００１０】
まず始めに、ショーケースとしての低温ウォークインショーケースの全体の構成を説明する。ウォークインショーケースの本体である断熱箱体１の前後左右の４側面、上面および床面は、断熱発泡樹脂板であるプレハブパネル２を複数連結して構成されている。このプレハブパネル２は、ステンレス板や塗装鋼板などの金属板からなる一対の面材を間隔を開けて配置し、その面材間の空間にウレタンなどの断熱材３を注入発泡させて構成されている。
【００１１】
そして、断熱箱体１は、前面に商品取出用開口６が、左側面に出入口７が開口している。商品取出用開口６は、左右一対の透明扉であるガラス扉８で開閉自在に閉塞されている。一方、出入口７は、断熱材からなる断熱扉９で開閉自在に閉塞されている。また、断熱箱体１の内部には貯蔵室１１が形成されており、この貯蔵室１１の前部すなわち商品取出用開口６側の部分には、多段の棚を具備する陳列棚１３が配置されている。さらに、貯蔵室１１には、貯蔵室１１を冷却するための冷却ユニット１６や、貯蔵室１１の温度を検出する温度センサー１７が設けられている。また、商品取出用開口６の上側における断熱箱体１の前壁を構成するプレハブパネル２には、温度表示計１８および霜取りランプ１９が取り付けられている。
【００１２】
そして、温度センサー１７は、リード線２１で温度表示計１８に接続されている。断熱箱体１の外側には、図示しない凝縮器や圧縮機などからなる冷凍機や制御装置が設けられ、この冷凍機から冷却ユニット１６に冷媒が供給されている。また、制御装置からリード線２３，２４が貯蔵室１１内に導かれ、冷却ユニット１６の霜取用ヒーター（図示しない）や、霜取りランプ１９に接続されている。
【００１３】
ついで、温度表示計１８および霜取りランプ１９の取付構造について説明する。温度表示計１８および霜取りランプ１９が取り付けられる前壁のプレハブパネル２には、温度表示計用リード線挿入孔３１および霜取りランプ用リード線挿入孔３２が貫通して形成されている。この温度表示計用リード線挿入孔３１および霜取りランプ用リード線挿入孔３２には、円筒状のパイプ３４が嵌め込まれている。このパイプ３４はゴムなどの弾性体で構成され、庫外側の端部に鍔部３４ａが形成されている。この鍔部３４ａが前壁のプレハブパネル２の庫外側の面に当接している。
【００１４】
また、商品取出用開口６の周縁部に沿って、枠状の扉フレーム３５が取り付けられている。前壁のプレハブパネル２の前面すなわち庫外側の面には、下端部にパネル３６が、このパネル３６の上側にはプラスターボードなどのボード３７が配されている。パネル３６は、ステンレス板や塗装鋼板などの金属板から構成されており、受け板３８を介して前壁のプレハブパネル２に取り付けられている。また、パネル３６には、温度表示計１８を取り付けるための温度表示計用開口４１および、霜取りランプ１９を取り付けるための霜取りランプ用開口４２が形成されている。温度表示計１８の表示部１８ａは温度表示計用開口４１よりも大きく形成され、また、霜取りランプ１９の表示部１９ａは霜取りランプ用開口４２よりも大きく形成されている。
【００１５】
そして、霜取りランプ１９が表示部１９ａを外側にして、略円形の霜取りランプ用開口４２に嵌め込まれ、霜取りランプ１９の弾性を有する係止爪１９ｂがパネル３６の裏面に係合して取り付けられている。霜取りランプ１９の一部はパイプ３４内に挿入され、その庫内側の端部にはシリコン系の断熱材４４が装着され、パイプ３４の内面と霜取りランプ１９との間の隙間を埋めて密封している。この断熱材４４で、貯蔵室１１内の冷気が庫外に漏れることを防止している。また、霜取りランプ１９のリード線２４は、パイプ３４に挿入されて貯蔵室１１内に導かれて、前述したように制御装置に接続されている。
【００１６】
また、温度表示計１８が表示部１８ａを外側にして、略矩形の温度表示計用開口４１に嵌め込まれ、温度表示計１８の弾性を有する係止部１８ｂがパネル３６の裏面に係合して取り付けられている。温度表示計１８の庫内側の端部は、パイプ３４の鍔部３４ａに当接し、パイプ３４の開口を密封している。この密封により、貯蔵室１１内の冷気が庫外に漏れることを防止している。また、温度表示計１８のリード線２１は、パイプ３４に挿入されて貯蔵室１１内に導かれて、前述したように温度センサー１７に接続されている。この様にして、温度表示計１８および霜取りランプ１９は、パネル３６および受け板３８を介して、前壁のプレハブパネル２に取り付けられている。
【００１７】
この様に構成されているショーケースの冷凍機が稼働すると、冷却ユニット１６に冷媒が供給され、冷却ユニット１６の冷却器の温度が低下して、貯蔵室１１を冷却している。そして、時間の経過とともに、冷却器には霜が付着するので、適宜たとえば所定時間毎に、制御装置からリード線２３を介して冷却ユニット１６のヒーターに電気が供給されて加熱し、冷却器の霜取りが行われている。この霜取り期間中には、制御装置からリード線２４を介して霜取りランプ１９に電気を供給し点灯させている。また、温度センサー１７が検出した貯蔵室１１の温度すなわち庫内温度は、たとえば電圧などの信号に変換されてリード線２１を介して温度表示計１８に伝達され、温度表示計１８の表示部１８ａに表示されている。
【００１８】
前述のように、実施の形態においては、断熱材からなる前壁のプレハブパネル２に、温度表示計用リード線挿入孔３１や霜取りランプ用リード線挿入孔３２を形成し、温度表示計１８や霜取りランプ１９が取り付けられている。したがって、ウォークインショーケースにおいても、店内側から温度表示計１８で温度管理を行い、かつ、霜取りランプ１９で運転状況の確認を行う事ができる。
【００１９】
また、霜取りランプ１９の一部が、前壁のプレハブパネル２の霜取りランプ用リード線挿入孔３２内に嵌まり込んでおり、霜取りランプ１９の前方への突出量を小さくする事ができ、見栄えが良好となる。
【００２０】
さらに、弾性を有するパイプ３４が霜取りランプ用リード線挿入孔３２に嵌められているので、霜取りランプ１９は、挿入時に、先端がパイプ３４の内面に衝突することはあっても、霜取りランプ用リード線挿入孔３２の内面に直接衝突することがない。その結果、挿入時に、霜取りランプ１９の先端が霜取りランプ用リード線挿入孔３２の内面に直接衝突して損傷することを防止することができる。
【００２１】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態において、出入口７は断熱箱体１の左側面に形成されているが、前面以外の側面であれば、後面や右側面に形成することも可能である。
【００２２】
（２）温度センサー１７や冷却ユニット１６の配置や構造は適宜変更可能である。
（３）断熱発泡樹脂板に、リード線挿入孔３１，３２が形成されているならば、温度表示計１８や霜取りランプ１９の取付構造は適宜変更可能である。
【００２３】
（４）温度表示計の温度表示は、貯蔵室の温度域が分かるならば、その表示方法は適宜変更可能である。たとえば、デジタル表示や、アナログ表示など適宜変更可能である。
【００２４】
【発明の効果】
本発明によれば、いわゆるウォークインショーケースの断熱箱体の前壁を構成する断熱発泡樹脂板に、霜取りランプ用リード線挿入孔が貫通して形成され、この霜取りランプ用リード線挿入孔に、断熱箱体の前壁に取り付けられている霜取りランプのリード線が挿入されている。したがって、従来のウォークインショーケースでは、出入口側でしか確認することができなかった霜取りランプを、前面側で確認することができる。その結果、ショーケースの運転状況の確認を十分に行うことができる。
【００２５】
また、霜取りランプの一部が、霜取りランプ用リード線挿入孔のパイプ内に嵌まり込んでおり、霜取りランプの前方への突出量を小さくする事ができ、見栄えが良好となる。
さらに、弾性を有するパイプが霜取りランプ用リード線挿入孔に嵌められているので、霜取りランプは、挿入時に、先端がパイプの内面に衝突することはあっても、霜取りランプ用リード線挿入孔の内面に直接衝突することがない。その結果、挿入時に、霜取りランプの先端が霜取りランプ用リード線挿入孔の内面に直接衝突して損傷することを防止することができる。
【図面の簡単な説明】
【図１】  図１は本発明にかかるショーケースの平断面図である。
【図２】  図２はショーケースの説明図で、（ａ）が断面図、（ｂ）が側面図である。
【図３】  図３はショーケースの正面図である。
【図４】  図４は図３の IV-IV断面図である。
【図５】  図５は図３の V-V断面図である。
【符号の説明】
１  断熱箱体
２  プレハブパネル（断熱発泡樹脂板）
６  商品取出用開口
７  出入口
８  ガラス扉（透明扉）
９  断熱扉
１１  貯蔵室
１３  陳列棚
１７  温度センサー
１８  温度表示計
１９  霜取りランプ
２１  温度表示計と温度センサーとを接続するリード線
２４  霜取りランプのリード線
３１  温度表示計用リード線挿入孔
３２  霜取りランプ用リード線挿入孔
【図１】
0003748977.tif 000002
【図２】
0003748977.tif 000003
【図３】
0003748977.tif 000004
【図４】
0003748977.tif 000005
【図５】
0003748977.tif 000006